(57)【要約】　　　（修正有）【課題】盛り付けに際してサラダを盛り付けたり、あるいはパスタ類を盛り付けたり等、卵料理を多様なものとする卵焼き用調理器具を提供する。【解決手段】卵を調理する容器本体１と把持部３とから構成され、当該容器本体は長方形や円形等の任意形状の底面部４から所定高さの周壁部５を立設形成し、当該周壁部の内側位置にこの周壁部と所定間隔離間して第２周壁部６を立設形成すると共に、前記周壁部及び第２周壁部との間に調理溝７を形成するように構成した。【選択図】　　図１
0003099061.tif 000002
【実用新案登録請求の範囲】
【請求項１】
卵を調理する容器本体と把持部とから構成され、当該容器本体は長方形や円形等の任意形状の底面部から所定高さの周壁部を立設形成し、当該周壁部の内側位置にこの周壁部と所定間隔離間して第２周壁部を立設形成すると共に、前記周壁部及び第２周壁部との間に調理溝を形成したことを特徴とする卵焼き用調理器具。
【考案の詳細な説明】
【０００１】
【考案が属する技術分野】
本考案は、種々の盛り付け方が可能な卵焼き用調理器具に関する。
【０００２】
【従来の技術】
従来、この種の卵焼き用調理器具としては、卵を調理する容器体と把持部とから構成され、容器体は長方形や円形等の底面から周壁部を立ち上げてなりプレス加工により一体に成型される。そして、目玉焼き、厚焼き玉子等の調理器具として用いられるものである。
【０００３】
【考案が解決しようとする課題】
従来の一般的な卵焼き用調理器具では、卵料理としてカニ卵、ニラ卵、オムレツなどの卵料理、薄焼き卵料理、炒り卵料理、出汁巻き卵料理というような卵料理しか調理することができないものであった。そのために出来上がった卵料理を美味しく食することができるものであるが、料理の盛り付けは単に皿に載せるだけであり、料理の盛り付け方法に変化をもたせることができないという課題を有していた。
【０００４】
本考案は、上記のような従来技術が有している課題を解消しようとするもので、卵料理を調理するにあたって種々の盛り付け方が可能な卵焼き用調理器具を提供するのが目的である。
【０００５】
【課題を解決するための手段】
本考案は、上記のような課題を解消しようとするもので、次のような構成としたものである。
【０００６】
登録を受けようとする考案は、卵を調理する容器本体と把持部とから構成され、当該容器本体は長方形や円形等の任意形状の底面部から所定高さの周壁部を立設形成し、当該周壁部の内側位置にこの周壁部と所定間隔離間して第２周壁部を立設形成すると共に、前記周壁部及び第２周壁部との間に調理溝を形成したことを特徴とする卵焼き用調理器具である。
【０００７】
上記の考案によれば、調理溝に液卵を流し込んで調理することにより、例えば円形の調理溝の場合にはリング形状の卵焼きに調理することができるので、盛り付けに際してサラダを盛り付けたり、あるいはパスタ類を盛り付けたり等、卵料理を多様なものとすることができる。
【０００８】
【実施例】
以下、本考案に係る卵焼き用調理器具について図面を参照して説明すると、図１は本考案に係る卵焼き用調理器具の斜視図であり、図２は同卵焼き用調理器具の平面図であり、図３は図１におけるＸ−Ｘ線断面図である。
【０００９】
図において、１は卵を調理する容器本体であり、当該容器本体１には握り部２が取り付けられた把持部３が固定されている。容器本体１は卵を調理し、加熱される底面部４と、当該底面部４の外周から所定高さの周壁部５が立設形成されている。容器本体１は鉄、赤銅などの材質により一体的に成型されている。
【００１０】
６は第２周壁部であり、当該第２周壁部６は、周壁部５の内側位置にこの周壁部５と所定間隔離間して底面部４から立設形成されている。そして、前記周壁部５及び第２周壁部６との間に調理溝７が形成されている。調理に際しては調理溝７に溶き卵を流し込んで調理するものである。
【００１１】
当該容器本体１は長方形や円形等の任意形状に形成することができ、例えば図４に示すように円形状に形成したり、図５に示すようにハート形状等に形成することができる。出来上がった卵料理は、任意の枠形状となるために、その中にサラダ、すし、オードブル、パスタなどの料理を盛り込みが楽しめるものとなる。なお、容器本体１の中心部４ａでは目玉焼き料理などとして利用することができる。
【００１２】
【考案の効果】
登録を受けようとする考案は、卵を調理する容器本体と把持部とから構成され、当該容器本体は長方形や円形等の任意形状の底面部から所定高さの周壁部を立設形成し、当該周壁部の内側位置にこの周壁部と所定間隔離間して第２周壁部を立設形成すると共に、前記周壁部及び第２周壁部との間に調理溝を形成したことを特徴とする卵焼き用調理器具である。
【００１３】
上記のように構成される卵焼き用調理器具によれば、調理溝に溶き卵を流し込んで調理することにより、例えば円形の調理溝の場合にはリング形状の卵焼きに調理することができるので、盛り付けに際してサラダを盛り付けたり、あるいはパスタ類を盛り付けたり等、卵料理を多様なものとすることができる。
【図面の簡単な説明】
【図１】本考案に係る卵焼き用調理器具の斜視図である。
【図２】同同卵焼き用調理器具の平面図である。
【図３】図１におけるＸ−Ｘ線断面図である。
【図４】卵焼き用調理器具の他実施例の平面図である。
【図５】卵焼き用調理器具の他実施例の平面図である。
【符号の説明】
１　容器本体
２　握り部
３　把持部
４　底面部
５　周壁部
６　第２周壁部
７　調理溝
【図１】
0003099061.tif 000003
【図２】
0003099061.tif 000004
【図３】
0003099061.tif 000005
【図４】
0003099061.tif 000006
【図５】
0003099061.tif 000007
【手続補正書】
【提出日】平成15年7月11日(2003.7.11)
【手続補正１】
【補正対象書類名】明細書
【補正対象項目名】０００８
【補正方法】変更
【補正の内容】
【０００８】
【実施例】以下、本考案に係る卵焼き用調理器具について図面を参照して説明すると、図１は本考案に係る卵焼き用調理器具の斜視図であり、図２は同卵焼き用調理器具の平面図であり、図３は図１におけるＸ−Ｘ線断面図である。また、図６は図１における容器本体の中心部を穿設した形状の断面図である。


【手続補正２】
【補正対象書類名】明細書
【補正対象項目名】００１１
【補正方法】変更
【補正の内容】
【００１１】
当該容器本体１は長方形や円形等の任意形状に形成することができ、例えば図４に示すように円形状に形成したり、図５に示すようにハート形状等に形成することができる。出来上がった卵料理は、任意の枠形状となるために、その中にサラダ、すし、オードブル、パスタなどの料理を盛り込みが楽しめるものとなる。なお、容器本体１の中心部４ａでは目玉焼き料理などとして利用することができる。また、図６に示したように容器本体１の中心部４ａの部分を穿設した空洞部４ｂに形成することにより、調理溝７への加熱が全体的に均一となるため、卵料理を素早く調理することができる。


【手続補正３】
【補正対象書類名】明細書
【補正対象項目名】図面の簡単な説明
【補正方法】変更
【補正の内容】
【図面の簡単な説明】
【図１】本考案に係る卵焼き用調理器具の斜視図である。
【図２】同同卵焼き用調理器具の平面図である。
【図３】図１におけるＸ−Ｘ線断面図である。
【図４】卵焼き用調理器具の他実施例の平面図である。
【図５】卵焼き用調理器具の他実施例の平面図である。
【図６】図１における容器本体の中心部が穿設された形状の断面図である。


【手続補正４】
【補正対象書類名】図面
【補正対象項目名】図６
【補正方法】追加
【補正の内容】
【図６】
0003099061.tif 000008